(57)【特許請求の範囲】
【請求項１】
液体を吸引する吸引管と、前記吸引管に接続された吐出管と、前記吸引管から液体を吸引するための吸引力を発生させるポンプ部と、を備え、前記ポンプ部の作動により液体を前記吸引管から吸引して前記吐出管から吐出する給液ポンプであって、
前記吐出管は、前記吸引管に接続された端部とは反対側の端部の先端に位置する先端管部と、当該先端管部に続いて予め定められた長さとされた可撓部分と、を有し、
前記給液ポンプは、更に、前記吐出管の前記先端管部が嵌入される貫通孔を備えた円盤部と、当該円盤部の内部に前記貫通孔の貫通軸と同一軸心として形成された環状の空洞空間と、当該空洞空間に固定された環状の磁石と、前記円盤部の前記貫通孔に連通されて当該円盤部の前記先端管部が嵌入される側の一方面とは反対側の他方面から延出する、前記吐出管から前記貫通孔に送られてきた油を吐出する吐出ノズル部と、を備え、前記吐出ノズル部が給液先の給液口に挿入された状態を、前記磁石による吸引力により保持する保持部と、
前記保持部の前記円盤部の前記一方面における前記吐出管の外部周囲の全周箇所又は外部周囲の半分の半円弧箇所から予め定められた長さだけ延出した延出部と、当該延出部の先端側に続いて前記吐出管側に鈍角に曲げられた屈折部とを備え、前記延出部及び前記屈折部が前記円盤部の前記一方面に側面視でくの字形状に立設され、前記吐出管の前記先端管部に続く前記可撓部分を前記屈折部が可撓して当該吐出管を鈍角に曲げた姿勢状態に案内するガイド部材と、を備え、
前記保持部は、前記ガイド部材の前記屈折部の先端が前記給液先から離れる方向に向けられた状態の当該保持部の前記吐出ノズル部が前記給液先の給液口に挿入された状態を保持する給液ポンプ。
【請求項２】
前記延出部は、前記保持部の前記円盤部の前記一方面における前記吐出管の外部周囲の半分である半円弧箇所から予め定められた長さだけ延出したものであり、前記屈折部は、当該延出部の先端側に続いて前記吐出管側に鈍角に曲げられたものであり、
前記延出部及び前記屈折部の形状は半円弧状であり、
前記ガイド部材は、前記保持部の前記貫通孔に嵌入された当該吐出管の前記先端管部の後端部から前記可撓部分の一部までの区間についての外部周囲の半分を囲う半囲い形状である請求項１に記載の給液ポンプ。
【請求項３】
前記延出部は、前記保持部の前記円盤部の前記一方面における前記吐出管の外部周囲の全周箇所から予め定められた長さだけ延出したものであり、前記屈折部は、当該延出部の先端側に続いて前記吐出管側に鈍角に曲げられたものであり、
前記延出部及び前記屈折部の断面形状は円筒状であり、
前記ガイド部材は、前記保持部の前記貫通孔に嵌入された当該吐出管の前記先端管部の後端部から前記可撓部分の一部までの区間についての外部周囲を全周に亘って囲う全囲い形状である請求項１に記載の給液ポンプ。
【請求項４】
前記延出部は、前記保持部の前記円盤部の前記一方面における前記吐出管の外部周囲の全周箇所から予め定められた長さだけ延出したものであり、前記屈折部は、当該延出部の先端のうちで当該ガイド部材の曲げ側とは反対側の半円弧箇所から続いて前記吐出管側に鈍角に曲げられたものであり、
前記延出部の断面形状は円筒状であり、
前記屈折部の断面形状は半円弧状であり、
前記ガイド部材の前記延出部は、前記保持部の前記貫通孔に嵌入された当該吐出管の前記先端管部の後端部から、前記可撓部分の一部のうちの当該先端管部に近い部分までの区間についての外部周囲を全周に亘って囲う全囲い形状であり、前記ガイド部材の前記屈折部は、前記可撓部分の一部のうちの当該先端管部に近い部分以外の区間についての外部周囲の半分を囲う半囲い形状である請求項１に記載の給液ポンプ。
【請求項５】
前記ガイド部材は、樹脂成形部品であり、
前記ガイド部材の前記延出部及び前記屈折部に、ユーザーに把持される把持部を備え、
前記把持部は、前記延出部及び前記屈折部の前記吐出管と対向する側とは反対側の外面部に、指が係止する凸形状又は凹形状の係止部が、前記ガイド部材の延出方向に複数個並べて固定されて形成されている請求項２乃至請求項４の何れか１項に記載の給液ポンプ。
【請求項６】
前記ガイド部材の前記屈折部の前記吐出管に対向する側の面のうちで、当該屈折部の先端側で半円弧状の内面領域部分における当該半円弧幅の全体にわたって、弾性部材が貼り付けられている請求項１乃至請求項５の何れか１項に記載の給液ポンプ。
【請求項７】
前記保持部は、前記円盤部の前記一方面を見た平面視において、当該一方面における前記ガイド部材の前記屈折部が重なる箇所に、当該保持部から外側に向けて当該屈折部の曲げ方向に突出する突出部を備え、
前記円盤部が給液先の給液口に挿入された状態を前記保持部の前記磁石による吸引力により保持する状態において、前記突出部の前記円盤部側の面が当該給液先の給液口の周縁部に当接することにより、前記突出部は前記ガイド部材が曲げ方向に倒れることを阻止する請求項１乃至請求項６の何れか１項に記載の給液ポンプ。
【請求項８】
前記保持部の前記円盤部の前記一方面には、前記ガイド部材の前記屈折部の先端が前記給液先から離れる方向に向けられて当該給液先に取り付けられた状態になる、当該保持部の取り付け時の向きを示す表記が、形成されている請求項１乃至請求項６の何れか１項に記載の給液ポンプ。
【請求項９】
前記突出部の表面には、前記ガイド部材の前記屈折部の先端が前記給液先から離れる方向に向けられて当該給液先に取り付けられた状態になる、前記保持部の取り付け時の向きを示す表記が、形成されている請求項７に記載の給液ポンプ。
【請求項１０】
液体を吸引する吸引管と、前記吸引管に接続された吐出管と、前記吸引管から液体を吸引するための吸引力を発生させるポンプ部と、を備え、前記ポンプ部の作動により液体を前記吸引管から吸引して前記吐出管から吐出する給液ポンプであって、
前記吐出管は、前記吸引管に接続された端部とは反対側の端部の先端に位置する先端管部と、当該先端管部に続いて予め定められた長さとされた可撓部分と、を有し、
前記給液ポンプは、更に、前記吐出管の前記先端管部が嵌入される貫通孔を備えた円盤部と、当該円盤部の内部に前記貫通孔の貫通軸と同一軸心として形成された環状の空洞空間と、当該空洞空間に固定された環状の磁石と、前記円盤部の前記貫通孔に連通されて当該円盤部の前記先端管部が嵌入される側の一方面とは反対側の他方面から延出する、前記吐出管から前記貫通孔に送られてきた油を吐出する吐出ノズル部と、を備え、前記吐出ノズル部が給液先の給液口に挿入された状態を、前記磁石による吸引力により保持する保持部と、
前記保持部の前記円盤部の前記一方面における前記吐出管の外部周囲の全周箇所又は外部周囲の半分の半円弧箇所から予め定められた長さだけ延出した延出部と、当該延出部の先端側に続いて前記吐出管側に鈍角に曲げられた屈折部とを備え、前記延出部及び前記屈折部が前記円盤部の前記一方面に側面視でくの字形状に立設され、前記吐出管の前記先端管部に続く前記可撓部分を前記屈折部が可撓して当該吐出管を鈍角に曲げた姿勢状態に案内するガイド部材と、を備え、
前記保持部は、前記円盤部の前記一方面を見た平面視において、当該一方面における前記ガイド部材の前記屈折部が重なる箇所に、当該保持部から外側に向けて当該屈折部の曲げ方向に突出する突出部を備え、
前記突出部の表面には、前記ガイド部材の前記屈折部の先端が前記給液先から離れる方向に向けられて当該給液先に取り付けられた状態になる、前記保持部の取り付け時の向きを示す表記が、形成され、
前記保持部は、前記表記に従って前記円盤部が前記給液先の給液口に挿入されると、前記ガイド部材の前記屈折部の先端が前記給液先から離れる方向に向けられた状態の当該保持部の前記吐出ノズル部が前記給液先の給液口に挿入された状態を前記保持部の前記磁石による吸引力により保持し、前記突出部の前記円盤部側の面が当該給液先の給液口の周縁部に当接する給液ポンプ。
【発明の詳細な説明】
【技術分野】
【０００１】
本発明は、油、水などの液体を給液する給液ポンプに関する。
【背景技術】
【０００２】
特許文献１には、給油ポンプの吐出管の先端に突起を設け、更に当該突起の下面に永久磁石を取り付けて、吐出管の先端開口部を永久磁石によってストーブ側の給油口に固定することが記載されている。
【先行技術文献】
【特許文献】
【０００３】
【特許文献１】実開昭５６−７０１７９号公報
【発明の概要】
【発明が解決しようとする課題】
【０００４】
上記の給油ポンプでは、吐出管の先端開口部が永久磁石によってストーブ側の給油口に固定された状態において、当該吐出管の先端開口部よりも上流側の一部分が当該ストーブ側に撓んで接触することがあり、例えば、ストーブの消火直後での高温箇所に接触した場合には、吐出管が熱で損傷してしまう虞がある。
【０００５】
本発明は、上記の事情に鑑みなされたものであり、給液ポンプの吐出管を保護することを可能にすることを目的とする。
【課題を解決するための手段】
【０００６】
本発明の一局面に係る給液ポンプは、液体を吸引する吸引管と、前記吸引管に接続された吐出管と、前記吸引管から液体を吸引するための吸引力を発生させるポンプ部と、を備え、前記ポンプ部の作動により液体を前記吸引管から吸引して前記吐出管から吐出する給液ポンプであって、前記吐出管は、前記吸引管に接続された端部とは反対側の端部の先端に位置する先端管部と、当該先端管部に続いて予め定められた長さとされた可撓部分と、を有し、前記給液ポンプは、更に、円盤中央に前記吐出管の前記先端管部が上側から嵌入される貫通孔を備えた円盤部と、当該円盤部の内部に前記貫通孔の貫通軸と同一軸心として形成された環状の空洞空間と、当該空洞空間に固定された環状の磁石と、前記円盤部の前記貫通孔に連通されて当該円盤部の下方に延出する、前記吐出管から前記貫通孔に送られてきた油を吐出する吐出ノズル部と、を備え、前記吐出ノズル部が給液先の給液口に挿入された状態を、前記磁石による吸引力により保持する保持部と、前記保持部の前記円盤部の上面における前記吐出管の外部周囲の全周箇所又は外部周囲の半分の半円弧箇所から上方に予め定められた長さだけ延出した延出部と、当該延出部の先端側に続いて前記吐出管側に鈍角に曲げられた屈折部とを備え、前記延出部及び前記屈折部が前記円盤部の上面に側面視でくの字形状に立設され、前記吐出管の前記先端管部に続く前記可撓部分を前記屈折部が可撓して当該吐出管を鈍角に曲げた姿勢状態に案内するガイド部材と、を備え、前記保持部は、前記ガイド部材の前記屈折部の先端が前記給液先から離れる方向に向けられた状態の当該保持部の前記吐出ノズル部が前記給液先の給液口に挿入された状態を保持するものである。
本発明の他の一局面に係る給液ポンプは、液体を吸引する吸引管と、前記吸引管に接続された吐出管と、前記吸引管から液体を吸引するための吸引力を発生させるポンプ部と、を備え、前記ポンプ部の作動により液体を前記吸引管から吸引して前記吐出管から吐出する給液ポンプであって、前記吐出管は、前記吸引管に接続された端部とは反対側の端部の先端に位置する先端管部と、当該先端管部に続いて予め定められた長さとされた可撓部分と、を有し、前記給液ポンプは、更に、前記吐出管の前記先端管部が嵌入される貫通孔を備えた円盤部と、当該円盤部の内部に前記貫通孔の貫通軸と同一軸心として形成された環状の空洞空間と、当該空洞空間に固定された環状の磁石と、前記円盤部の前記貫通孔に連通されて当該円盤部の前記先端管部が嵌入される側の一方面とは反対側の他方面から延出する、前記吐出管から前記貫通孔に送られてきた油を吐出する吐出ノズル部と、を備え、前記吐出ノズル部が給液先の給液口に挿入された状態を、前記磁石による吸引力により保持する保持部と、前記保持部の前記円盤部の前記一方面における前記吐出管の外部周囲の全周箇所又は外部周囲の半分の半円弧箇所から予め定められた長さだけ延出した延出部と、当該延出部の先端側に続いて前記吐出管側に鈍角に曲げられた屈折部とを備え、前記延出部及び前記屈折部が前記円盤部の前記一方面に側面視でくの字形状に立設され、前記吐出管の前記先端管部に続く前記可撓部分を前記屈折部が可撓して当該吐出管を鈍角に曲げた姿勢状態に案内するガイド部材と、を備え、前記保持部は、前記円盤部の前記一方面を見た平面視において、当該一方面における前記ガイド部材の前記屈折部が重なる箇所に、当該保持部から外側に向けて当該屈折部の曲げ方向に突出する突出部を備え、前記突出部の表面には、前記ガイド部材の前記屈折部の先端が前記給液先から離れる方向に向けられて当該給液先に取り付けられた状態になる、前記保持部の取り付け時の向きを示す表記が、形成され、前記保持部は、前記表記に従って前記円盤部が前記給液先の給液口に挿入されると、前記ガイド部材の前記屈折部の先端が前記給液先から離れる方向に向けられた状態の当該保持部の前記吐出ノズル部が前記給液先の給液口に挿入された状態を前記保持部の前記磁石による吸引力により保持し、前記突出部の前記円盤部側の面が当該給液先の給液口の周縁部に当接するものである。
【発明の効果】
【０００７】
本発明によれば、給液ポンプの吐出管を保護することができる。
【図面の簡単な説明】
【０００８】
【図１】本発明の第１実施形態に係る給油ポンプを示す外観図である。
【図２】第１実施形態に係る給油ポンプの使用状態の一例を示す図である。
【図３】給油ポンプの吐出管及び供給管の先端部分を示す図である。
【図４】給油ポンプの使用状態の一例を示す拡大図である。
【図５】給油ポンプの使用状態の一例を示す拡大図である。
【図６】図４に示す給油ポンプの使用状態の吐出管の先端側を示す断面図である。
【図７】図５に示す給油ポンプの使用状態の吐出管の先端側を示す断面図である。
【図８】第２実施形態に係る給油ポンプの吐出管の先端部分を示す図である。
【図９】第２実施形態に係る給油ポンプの使用状態の吐出管の先端側を示す断面図である。
【図１０】第３実施形態に係る給油ポンプの吐出管の先端部分を示す図である。
【図１１】第４実施形態に係る給油ポンプの使用状態の吐出管の先端側を示す断面図である。
【図１２】第５実施形態に係る給油ポンプの吐出管の先端部分を示す図である。
【図１３】第５実施形態に係る給油ポンプの使用状態の吐出管の先端側を示す断面図である。
【図１４】（Ａ）は第６実施形態に係る給油ポンプの使用状態を示す拡大図、（Ｂ）は第７実施形態に係る給油ポンプの吐出管の先端側を示す平面図である。
【図１５】第８実施形態に係る給油ポンプの吐出管の先端部分を示す図である。
【発明を実施するための形態】
【０００９】
以下、本発明の一実施形態に係る給液ポンプの一例である給油ポンプについて図面を参照して説明する。図１は、本発明の第１実施形態に係る給油ポンプを示す外観図である。図２は、第１実施形態に係る給油ポンプの使用状態の一例を示す図である。
【００１０】
給油ポンプ１は、図１に示すように、灯油などの油を吸引する吸引管２と、吸引管２に接続された吐出管３と、吸引管２から油を吸引するための吸引力を発生させるポンプ部４と、吸引管２よりも上端に配置された操作部５と、を備える。
【００１１】
吸引管２は、その下端に位置する下端部２１の内部にポンプ部４を備えている。具体的には、吸引管２の下端部２１は、当該吸引管２の中央部よりも拡径した大きさとなっている。下端部２１の内部には、図示しない電動モータが配置されている。下端部２１の下面には、油を吸入可能な吸入口２２が少なくとも１個以上形成されている。ポンプ部４は、下端部２１の内部の電動モータが回転することにより、吸引管２から油を吸引するための吸引力を発生させ、吸引管２の下端の吸入口２２から油を吸引する。
【００１２】
吐出管３は、可撓部分を有するホースであり、その先端が後述する保持部６に嵌入され、給油先の一例であるストーブＳＴの給油口ＲＰ（図６参照）に保持部６の先端が挿入される。吐出管３は、透明又は半透明であり、内部を流れる油をユーザーが視認可能となっている。
【００１３】
操作部５の内部には、図示しない電池が備えられている。操作部５は、電池から電動モータへの電力供給をＯＮ／ＯＦＦにするためのスイッチ５１を備える。スイッチ５１を「入」側にスライドさせてＯＮにすると、操作部５に内装された電池から電動モータに電力が供給され、電動モータが回転する。すなわち、ポンプ部４が作動する。一方、スイッチ５１を「切」側にスライドさせてＯＦＦにすると、操作部５に内装された電池から電動モータに電力が供給されず、電動モータが回転しない。すなわち、ポンプ部４が作動しない。
【００１４】
給油ポンプ１は、図２に示すように、吸引管２が油を貯留するポリタンクＰＴに挿入され、吐出管３がストーブＳＴの給油口ＲＰ（図６参照）に挿入された状態において、スイッチ５１がＯＮにされると、吸引管２の吸入口２２からポリタンクＰＴ内の油を吸引し、吸引した油を吐出管３からストーブＳＴの給油口ＲＰに吐出し、ストーブＳＴの燃料タンクに給油する。一方、給油ポンプ１は、スイッチ５１がＯＦＦにされると、吸引管２の吸入口２２からポリタンクＰＴ内の油を吸引せず、吐出管３からストーブＳＴの給油口ＲＰに吐出しないので、ストーブＳＴの燃料タンクに給油しない。
【００１５】
上記したように給油ポンプ１は、ポンプ部４の作動により、油を吸引管２から吸引して吐出管３から吐出する電動給油ポンプとなっている。
【００１６】
更に、給油ポンプ１は、吐出管３の先端側に保持部６を備える。また、保持部６には、ガイド部材７が一体的に形成されている。保持部６及びガイド部材７について、図３〜図７を用いて説明する。
【００１７】
図３は、給油ポンプの吐出管及び供給管の先端部分を示す図である。図４は、給油ポンプの使用状態の一例を示す拡大図である。図５は、給油ポンプの使用状態の一例を示す拡大図である。図６は、図４に示す給油ポンプの使用状態の吐出管の先端側を示す断面図である。図７は、図５に示す給油ポンプの使用状態の吐出管の先端側を示す断面図である。
【００１８】
更に、給油ポンプ１は、図３〜図７に示すように、吐出管３が給油先（例えば、ストーブＳＴ）の給油口ＲＰに挿入された状態を保持する保持部６を備える。保持部６は、図１、図３、図６及び図７に示すように、吐出管３の先端側で当該吐出管３の外周箇所に設けられている。
【００１９】
保持部６は、図６及び図７に示すように、中央に吐出管３の先端が嵌入される貫通孔６１を備えた円盤部６２と、当該円盤部６２の内部に貫通孔６１の貫通軸と同一軸心として形成された環状の空洞空間６３とを有し、当該空洞空間６３に環状の磁石６４が固定されている。つまり、保持部６は、吐出管３がストーブＳＴの給油口ＲＰに挿入された状態を、磁石６４による吸引力により保持する構成としている。
【００２０】
また、保持部６は、円盤部６２の貫通孔６１に連通された吐出ノズル部６５を備える。吐出ノズル部６５は、吐出管３から貫通孔６１に送られてきた油を吐出する。吐出ノズル部６５は、保持部６の先端であると言える。保持部６の円盤部６２及び吐出ノズル部６５は、例えば、樹脂成形部品である。
【００２１】
ガイド部材７は、図３及び図６に示すように、保持部６の吐出管３の先端側とは反対側である油を流す方向の上流側面６２Ａに、側面視で「くの字」形状に立設されており、吐出管３における保持部６よりも上流側箇所を鈍角に曲げた姿勢状態にする部材である。ガイド部材７は、例えば、樹脂成形部品である。ここでは、ガイド部材７は、有色の樹脂成形部品であり、不透明の部材である。
【００２２】
ガイド部材７は、図３〜図７に示すように、保持部６の上流側面６２Ａにおける吐出管３の外部周囲の半分である半円弧箇所から当該吐出管３の長手方向に沿って予め定められた長さだけ延出した半円弧状の延出部７１と、当該延出部７１の先端側に続いて吐出管３の側に鈍角に曲げられた半円弧状の屈折部７２とを備える。
【００２３】
屈折部７２の先端は、図５に示すように、半円弧状となっている。延出部７１及び屈折部７２の形状は、半円弧状である。
【００２４】
延出部７１の先端側は、図６及び図７に示すように、当該延出部７１の延出方向Ａ１に対して予め定められた角度θ（例えば、角度θは４５°）だけ傾斜した方向Ａ２に曲げられた形状、つまり、鈍角に曲げられた形状となっている。ガイド部材７は、樹脂成形部品であるため、成形と同時に鈍角に曲げられた形状となっている。なお、上記の予め定められた角度θは、４５°に限定されるものではなく、４０°〜５０°の範囲内の任意の角度であってもよいし、２０°〜７０°の範囲内の任意の角度であってもよいし、鋭角であればよい。
【００２５】
ガイド部材７の延出部７１及び屈折部７２は、ユーザーに把持される把持部７３を備える。ガイド部材７の延出長さＬ１は、延出部７１の延出方向の長さＬ１１と、屈折部７２の延出方向の長さＬ１２との合算長さであり、予め定められた長さ（例えば、１０ｃｍ）に亘っており、一般的なユーザー（例えば成人）が把持可能な長さとなっている。なお、上記の予め定められた長さは、例えば８ｃｍ〜１５ｃｍの長さであってもよいし、それ以外の長さであってもよい。
【００２６】
保持部６は、図４及び図５に示すように、ガイド部材７の先端がストーブＳＴ（給油先）から離れる方向に向けられた状態の当該保持部６の先端がストーブＳＴの給油口ＲＰに挿入された状態を、磁石６４の吸引力により保持する。
【００２７】
図４に示すストーブＳＴは、燃料タンク部Ｔの上面Ｔ１に給油口ＲＰが形成され、給油口ＲＰの内周面にネジ部が形成され、給油口ＲＰを図示しないキャップで螺合して塞ぐタイプのストーブである。ユーザーは、給油口ＲＰを塞ぐ図示しないキャップを外し、給油ポンプ１の吐出管３の先端側に位置する保持部６の先端をストーブＳＴの給油口ＲＰに挿入する。このとき、保持部６の先端側である下流側面６２Ｂが燃料タンク部Ｔの上面Ｔ１に磁石６４により吸引される。燃料タンク部Ｔは金属材料で形成されており、磁石６４が燃料タンク部Ｔの上面Ｔ１のうち給油口ＲＰの周囲部分に吸引される。このため、保持部６は、図６に示すように、ガイド部材７の先端がストーブＳＴから離れる方向に向けられた状態の当該保持部６の先端がストーブＳＴの給油口ＲＰに挿入された状態を、磁石６４の吸引力により保持する。
【００２８】
一方、図５に示すストーブＳＴは、燃料タンク部Ｔの上面Ｔ１に上方に突出した突出管部ＰＰが形成され、突出管部ＰＰの外周面にネジ部が形成され、突出管部ＰＰの上端に開口された給油口ＲＰを図示しないキャップで螺合して塞ぐタイプのストーブである。ユーザーは、給油口ＲＰを塞ぐ図示しないキャップを外し、給油ポンプ１の吐出管３の先端側に位置する保持部６の先端をストーブＳＴの突出管部ＰＰの給油口ＲＰに挿入する。このとき、保持部６は、図７に示すように、ガイド部材７の先端がストーブＳＴから離れる方向に向けられた状態の当該保持部６の先端がストーブＳＴの給油口ＲＰに挿入された状態を、磁石６４の吸引力により保持する。突出管部ＰＰは金属材料で形成されており、磁石６４が突出管部ＰＰに吸引される。このため、保持部６は、その先端がストーブＳＴの給油口ＲＰに挿入された状態を、磁石６４の吸引力により保持する。
【００２９】
なお、ユーザーにより、ガイド部材７の先端がストーブＳＴから離れる方向に向けた状態で、吐出管３の先端側に位置する保持部６の先端がストーブＳＴの給油口ＲＰに挿入されると、保持部６は、ガイド部材７の先端がストーブＳＴから離れる方向に向けられた状態の当該保持部６の先端がストーブＳＴの給油口ＲＰに挿入された状態を保持する。また、ユーザーにより、吐出管３の先端側に位置する保持部６の先端がストーブＳＴの給油口ＲＰに挿入されて、保持部６の先端がストーブＳＴの給油口ＲＰに挿入された状態を当該保持部６が保持している状態において、保持部６を回動させて、ガイド部材７の先端がストーブＳＴから離れる方向に向けられることで、保持部６は、ガイド部材７の先端がストーブＳＴから離れる方向に向けられ、かつ、保持部６の先端がストーブＳＴの給油口ＲＰに挿入された状態を保持するとしてもよい。
【００３０】
以上説明したように、第１実施形態の給油ポンプ１によれば、保持部６は、吐出管３の先端側で当該吐出管３の外周箇所に設けられており、先端がストーブＳＴ（給油先）の給油口ＲＰに挿入された状態を保持する。ガイド部材７は、保持部６の吐出管３の先端側とは反対側である油を流す方向の上流側面６２Ａに側面視でくの字形状に立設されており、吐出管３における保持部６よりも上流側箇所を鈍角に曲げた姿勢状態にする。保持部６は、ガイド部材７の先端がストーブＳＴから離れる方向に向けられた状態の当該保持部６の先端がストーブＳＴの給油口ＲＰに挿入された状態を保持する。すなわち、保持部６の先端がストーブＳＴの給油口ＲＰに挿入された状態を当該保持部６が保持している状態において、ガイド部材７の先端がストーブＳＴから離れる方向に向けられている。このため、保持部６の先端がストーブＳＴの給油口ＲＰに挿入された状態を当該保持部６が保持している状態において、吐出管３の保持部６よりも上流側の一部分が給油先（例えばストーブＳＴ）の方に撓んで接触することを防止できる。例えば、吐出管３が消火直後のストーブＳＴの高温箇所に接触することを防止でき、吐出管３が熱で損傷してしまうことを防止できる。これにより、給油ポンプ１の吐出管３を保護することができる。
【００３１】
また、ガイド部材７は、保持部６の上流側面６２Ａにおける吐出管３の外部周囲の一部である円弧箇所から当該吐出管３の長手方向に沿って予め定められた長さだけ延出した延出部７１と、当該延出部７１の先端側に続いて吐出管３側に鈍角に曲げられた屈折部７２とを備え、延出部７１及び屈折部７２の断面形状は半円弧状である。このため、延出部７１及び屈折部７２は、吐出管３における保持部６よりも上流側箇所を当該吐出管３の外周半分にわたって囲うことができ、給油ポンプ１の吐出管３の保持部６側の箇所を好適に保護することができる。また、吐出管３の保持部６側の箇所のうちで延出部７１及び屈折部７２に囲われていない箇所は、ストーブとは反対側、つまりユーザー側であり、吐出管３内の油の流れをユーザーが視認することができ、給油状態を好適に確認することができる。
【００３２】
また、ガイド部材７は、延出部７１及び屈折部７２に、ユーザーに把持される把持部７３を備えるので、ユーザーがガイド部材７の把持部７３を把持して吐出管３の先端側に位置する保持部６の先端をストーブＳＴの給油口ＲＰに挿入した状態にしたり、吐出管３をストーブＳＴの給油口ＲＰから取り外したりすることができ、吐出管３の挿抜作業がし易くなる。
【００３３】
次に、第２実施形態の給油ポンプ１について説明する。図８は、第２実施形態に係る給油ポンプの吐出管の先端部分を示す図である。図９は、第２実施形態に係る給油ポンプの使用状態の吐出管の先端側を示す断面図である。
【００３４】
第１実施形態の給油ポンプ１は、図３及び図６に示すように、ガイド部材７が、吐出管３の外部周囲のうち半分を囲う半囲い形状としているが、第２実施形態の給油ポンプ１は、図８及び図９に示すように、ガイド部材７が、吐出管３の外部周囲を全周に亘って囲う全囲い形状としている点が、第１実施形態と相違する。第２実施形態では、第１実施形態と同様の構成については説明を省略する。
【００３５】
ガイド部材７は、図８及び図９に示すように、保持部６の上流側面６２Ａにおける吐出管３の外部周囲の全周箇所から当該吐出管３の長手方向に沿って予め定められた長さだけ延出した延出部７１Ａと、当該延出部７１Ａの先端側に続いて吐出管３側に鈍角に曲げられた屈折部７２Ａとを備える。
【００３６】
延出部７１Ａ及び屈折部７２Ａの断面形状は、円筒状である。延出部７１Ａ及び屈折部７２Ａの断面形状とは、ガイド部材７の延出方向に直交する方向で延出部７１Ａ及び屈折部７２Ａをそれぞれ断面視した形状のことである。
【００３７】
第２実施形態の給油ポンプ１によれば、ガイド部材７は、保持部６の上流側面６２Ａにおける吐出管３の外部周囲の全周箇所から当該吐出管３の長手方向に沿って予め定められた長さだけ延出した延出部７１Ａと、当該延出部７１Ａの先端側に続いて吐出管３側に鈍角に曲げられた屈折部７２Ａとを備え、延出部７１Ａ及び屈折部７２Ａの断面形状は円筒状である。このため、延出部７１Ａ及び屈折部７２Ａは、吐出管３における保持部６よりも上流側箇所を当該吐出管３の外周全てにわたって囲うことができ、給油ポンプ１の吐出管３の保持部６側の箇所を完全に保護することができる。
【００３８】
次に、第３実施形態の給油ポンプ１について説明する。図１０は、第３実施形態に係る給油ポンプの吐出管の先端部分を示す図である。
【００３９】
第３実施形態の給油ポンプ１は、図１０に示すように、ガイド部材７の把持部７３が、指が係止する凸形状の係止部７４を有する点が、前述の第１実施形態及び第２実施形態と相違する。第３実施形態では、第１実施形態及び第２実施形態と同様の構成については説明を省略する。
【００４０】
把持部７３は、図１０に示すように、指が係止する凸形状の係止部７４を複数個（例えば８個）有する。係止部７４は、ガイド部材７の延出方向に沿って８個並べて形成されている。
【００４１】
第３実施形態の給油ポンプ１によれば、把持部７３は、指が係止する凸形状の係止部７４を有するので、ユーザーは、係止部７４の間に指を位置させて把持部７３を掴むことにより、ガイド部材７の把持部７３を把持した際にしっかりと把持部７３を持つことができ、吐出管３の挿抜作業がさらにし易くなる。
【００４２】
なお、第３実施形態では、係止部７４は、凸形状としているが、凹形状としてもよいし、凹凸形状としてもよい。この場合、ユーザーは、係止部７４をなす凹形成部分に指を位置させて把持部７３を掴むことにより、ガイド部材７の把持部７３を把持した際にしっかりと把持部７３を持つことができる。
【００４３】
次に、第４実施形態の給油ポンプ１について説明する。図１１は、第４実施形態に係る給油ポンプの使用状態の吐出管の先端側を示す断面図である。
【００４４】
第４実施形態の給油ポンプ１は、図１１に示すように、ガイド部材７の内面に弾性部材７５を備える点が、前述の各実施形態と相違する。第４実施形態では、前述の各実施形態と同様の構成については説明を省略する。
【００４５】
弾性部材７５は、図１１に示すように、ガイド部材７の内面に貼り付けられている。ここでは、弾性部材７５は、ガイド部材７の内面（すなわち、ガイド部材７の吐出管３に対向する側の面）のうちで、当該ガイド部材７の先端側で半円弧状の内面領域部分に当該半円弧幅の全体にわたって貼り付けられている。なお、弾性部材７５は、当該半円弧幅の一部に貼り付けられてもよい。また、弾性部材７５は、ガイド部材７の内面全体に亘って貼り付けられてもよい。弾性部材７５は、例えば、ゴム、ラバー、スポンジなどの弾性体であり、吐出管３が当接することで弾性変形する。
【００４６】
第４実施形態の給油ポンプ１によれば、ガイド部材７の内面に弾性部材７５を備えるので、吐出管３がガイド部材７に直接当たらないようにすることができ、吐出管３がガイド部材７に接触することによる損傷を低減できる。これにより、吐出管３を保護することができ、吐出管３の耐久性を向上させることができる。
【００４７】
次に、第５実施形態の給油ポンプ１について説明する。図１２は、第５実施形態に係る給油ポンプの吐出管の先端部分を示す図である。図１３は、第５実施形態に係る給油ポンプの使用状態の吐出管の先端側を示す断面図である。
【００４８】
第５実施形態の給油ポンプ１は、図１２及び図１３に示すように、保持部６の上流側面６２Ａにおけるガイド部材７の曲げ方向に対応する箇所に、保持部６から外側に向けて突出する突出部６６を備える点が、前述の各実施形態と相違する。第５実施形態では、前述の各実施形態と同様の構成については説明を省略する。
【００４９】
突出部６６は、図１２及び図１３に示すように、保持部６の上流側面６２Ａにおけるガイド部材７の曲げ方向に対応する箇所、つまり、上流側面６２Ａの周方向のうちで、ガイド部材７の延出部７１の周囲位置のうちで屈折部７２の位置と同じ箇所に、保持部６から外側に向けて突出する大きさであり、保持部６に一体的に形成されている。図１２では、突出部６６は、保持部６の上流側面６２Ａにおけるガイド部材７の屈折部７２の真下の位置に位置し、保持部６から外側に向けて突出している。
【００５０】
第５実施形態の給油ポンプ１によれば、保持部６の上流側面６２Ａにおけるガイド部材７の曲げ方向に対応する箇所に、保持部６から外側に向けて突出する突出部６６を備える。このため、吐出管３の先端側の保持部６の先端がストーブＳＴ（給油先）の給油口ＲＰに挿入された状態において、ガイド部材７が曲げ方向に倒れることを突出部６６が阻止するため、ガイド部材７が曲げ方向に倒れて吐出管３が給油口ＲＰから外れることもない。これにより、ガイド部材７による吐出管３の姿勢変更に起因する吐出管外れを防止することができる。
【００５１】
次に、第６実施形態の給油ポンプ１について説明する。図１４（Ａ）は、第６実施形態に係る給油ポンプの使用状態を示す拡大図である。
【００５２】
第６実施形態の給油ポンプ１は、図１４（Ａ）に示すように、保持部６は、ガイド部材７の先端がストーブＳＴから離れる方向に向けられて当該ストーブＳＴに取り付けられた状態になる、当該保持部６の取り付け時の向きを示す表記６７が形成されている。
【００５３】
表記６７は、保持部６の取り付け時の向きの一例である「ＦＲＯＮＴ」が、当該保持部６の上流側面６２Ａ上に印刷されたものである。なお、表記６７は、「ＦＲＯＮＴ」が印字されたシール部材であってもよい。なお、表記６７は、「ＦＲＯＮＴ」に限定されず、「手前」、「手前側」、「手前位置」、「前面」、「前方」など、取り付け時の向きを特定可能な表記とすればよい。
【００５４】
第６実施形態の給油ポンプ１によれば、保持部６は、当該保持部６の取り付け時の向きを示す表記６７が形成されているので、保持部６を表記６７に従って取り付けた場合には、保持部６が、ガイド部材７の先端がストーブＳＴ（給油先）から離れる方向に向けられてストーブＳＴに取り付けられた状態になる。これにより、保持部６を適切に取り付けることができる。
【００５５】
次に、第７実施形態の給油ポンプ１について説明する。図１４（Ｂ）は、第７実施形態に係る給油ポンプの吐出管の先端側を示す平面図である。
【００５６】
第７実施形態の給油ポンプ１は、図１４（Ｂ）に示すように、保持部６は、当該保持部６の取り付け時の向きを示す表記６７が、前述の第５実施形態の給油ポンプ１の保持部６の突出部６６の上面に形成されている。
【００５７】
表記６７は、保持部６の取り付け時の向きの一例である「ＦＲＯＮＴ」が、当該保持部６の突出部６６の上面に印刷されたものである。なお、表記６７は、「ＦＲＯＮＴ」が印字されたシール部材であってもよい。
【００５８】
第７実施形態の給油ポンプ１によれば、保持部６は、当該保持部６の取り付け時の向きを示す表記６７が、突出部６６の上面に形成されているので、突出部６６を有する保持部６であっても表記６７を適切に設けることができる。また、保持部６を表記６７に従って取り付けた場合には、保持部６が、ガイド部材７の先端がストーブＳＴ（給油先）から離れる方向に向けられてストーブＳＴに取り付けられた状態になる。これにより、保持部６を適切に取り付けることができる。
【００５９】
前述した各実施形態では、ガイド部材７は、延出部７１及び屈折部７２に、ユーザーに把持される把持部７３を備えているが（図３及び図６参照）、これに限定されない。例えば、ガイド部材７は、延出部７１又は屈折部７２に、或いは、延出部７１Ａ又は屈折部７２Ａ（図８及び図９参照）に、把持部７３を備えるようにしてもよい。この場合でも、ユーザーがガイド部材７の把持部７３を把持して吐出管３の先端側の保持部６の先端をストーブＳＴの給油口ＲＰに挿入した状態にしたり、吐出管３をストーブＳＴの給油口ＲＰから取り外したりすることができ、吐出管３の挿抜作業がし易くなる。
【００６０】
上記の各実施形態では、保持部６は、先端が給油先であるストーブＳＴの給油口に挿入された状態を、磁石６４による吸引力により保持する構成としているが、これに限定されない。例えば、保持部６は、先端が給油先であるストーブＳＴの給油口から脱落しないように保持する複数の保持片あるいは係止片を備える構成であってもよい。
【００６１】
上記の各実施形態では、給油ポンプ１は、電動給油ポンプとしているが、手動式の給油ポンプに保持部６及びガイド部材７などを採用した構成としてもよい。手動式の給油ポンプでは、吸引管２の上流側に、ユーザーにより握り離しが繰り返される手動ポンプ部を備え、この手動ポンプがユーザーによる握り離しが繰り返されることにより、油を吸引管２から吸引して吐出管３から吐出することが可能である。
【００６２】
また、上記の各実施形態では、給油ポンプ１は、電動縦型の給油ポンプ、すなわち、使用時に吸引管２をポリタンクＰＴに差し込み、使用終了時に吸引管２をポリタンクＰＴから抜き取るタイプの給油ポンプとしているが、これに限定されない。例えば、給油ポンプ１は、電動直付けの給油ポンプであってもよい。電動直付けの給油ポンプは、吸引管２が可撓部分を有するホースであり、吸引管２がポリタンクＰＴ内に挿入された状態で当該ポリタンクＰＴに固定されるタイプの給油ポンプである。
【００６３】
上記の第６実施形態及び第７実施形態の給油ポンプ１では、表記６７が保持部６に設けられているが、ガイド部材７の予め定められた箇所、例えば、屈折部７２の先端側の外周面の箇所に表記６７を設けるようにしてもよい。
【００６４】
上記の第２実施形態の給油ポンプ１は、図８及び図９に示すように、ガイド部材７が、吐出管３の外部周囲を全周に亘って囲う全囲い形状としているが、図１５に示す第８実施形態の給油ポンプ１は、ガイド部材７の延出部７１Ａが、吐出管３の外部周囲を全周に亘って囲う全囲い形状とし、かつ、ガイド部材７の屈折部７２が吐出管３の外部周囲のうち半分を囲う半囲い形状としている点が、第２実施形態と相違する。第８実施形態では、第２実施形態と同様の構成については説明を省略する。
【００６５】
図１５に示すように、ガイド部材７は、保持部６の上流側面６２Ａにおける吐出管３の外部周囲の全周箇所から当該吐出管３の長手方向に沿って予め定められた長さだけ延出した延出部７１Ａと、当該延出部７１Ａの先端側で円筒箇所のうちで当該ガイド部材７の曲げ側とは反対側の半円弧箇所から続いて吐出管３側に鈍角に曲げられた半円弧形状の屈折部７２とを備え、延出部７１Ａの断面は円筒状であり、屈折部７２の断面は半円弧状である。
【００６６】
このため、第８実施形態の給油ポンプ１によれば、延出部７１Ａは、吐出管３における保持部６よりも上流側箇所を当該吐出管３の外周全てにわたって囲うことができ、ガイド部材７の延出部７１Ａをしっかりと把持することができ、しかも、ユーザーが延出部７１Ａを把持する際に給油ポンプ１の吐出管３をユーザーの手が当たって変形させることを防止できる。また、延出部７１Ａは、その先端側の内周方向の全体又は一部に、弾性部材７５を備えるようにしてもよい。
【００６７】
なお、屈折部７２は、延出部７１Ａに近い側が円筒状であり、延出部７１Ａから遠い側、つまり先端側が半円弧状としてもよい。また、延出部７１Ａは、屈折部７２に近い側、つまり先端側のみが半円弧状であり、かつ、屈折部７２は、延出部７１Ａの先端側の半円弧状に続いて鈍角に曲げられた半円弧状であるとしてもよい。
【００６８】
また、上記各実施形態では、給液ポンプの一例として給油ポンプ１を例に挙げて説明しているが、油以外の例えば水、薬液、洗浄液などの各種の液体のための給液ポンプに本発明を適用できることは言うまでもない。
【００６９】
また、上記実施形態では、図１乃至図１５を用いて上記実施形態により示した構成は、本発明の一実施形態に過ぎず、本発明を当該構成に限定する趣旨ではない。また、図１乃至図１５を用いて上記実施形態により示した各構成の一部又は全部を任意に組み合わせてもよい。
【符号の説明】
【００７０】
１      給油ポンプ
２      吸引管
３      吐出管
４      ポンプ部
６      保持部
６２Ａ  上流側面
６６    突出部
６７    表記
７      ガイド部材
７１    延出部
７１Ａ  延出部
７２    屈折部
７２Ａ  屈折部
７３    把持部
７４    係止部
７５    弾性部材
【要約】
【課題】給液ポンプの吐出管を保護することを可能にする。
【解決手段】給液ポンプの一例である給油ポンプ１は、油を吸引する吸引管２と、吸引管２に接続された吐出管３と、吸引管２から油を吸引するための吸引力を発生させるポンプ部４とを備え、ポンプ部４の作動により油を吸引管２から吸引して吐出管３から吐出する給油ポンプ１であって、吐出管３の先端側で吐出管３の外周箇所に設けられ、先端が給油先の給油口に挿入された状態を保持する保持部６と、保持部６の吐出管３の先端側とは反対側である上流側面６２Ａに側面視でくの字形状に立設され、吐出管３における保持部６よりも上流側箇所を鈍角に曲げた姿勢状態にするガイド部材７と、を備え、保持部６は、ガイド部材７の先端が給油先から離れる方向に向けられた状態の当該保持部６の先端が給油先の給油口に挿入された状態を保持する。
【選択図】図１【図１】
0006614737.tif 000002
【図２】
0006614737.tif 000003
【図３】
0006614737.tif 000004
【図４】
0006614737.tif 000005
【図５】
0006614737.tif 000006
【図６】
0006614737.tif 000007
【図７】
0006614737.tif 000008
【図８】
0006614737.tif 000009
【図９】
0006614737.tif 000010
【図１０】
0006614737.tif 000011
【図１１】
0006614737.tif 000012
【図１２】
0006614737.tif 000013
【図１３】
0006614737.tif 000014
【図１４】
0006614737.tif 000015
【図１５】
0006614737.tif 000016